(57)【要約】      （修正有）【課題】利便性に優れた衣服をベースとする携帯モバイル機器システムを提供する。【解決手段】衣服をベースとする携帯モバイル機器システムは、マイクロホン２６、イヤホン２４をクルーネック付のジャケットに一体に仕込み、仕込んだマイクロホン２６やイヤホン２４を、携帯電話１４、ＭＤ１１などの携帯モバイル機器に兼用使用させたものである。また、同携帯モバイル機器システムは、クルーネック付のジャケットにアンテナ１６を一体に仕込み、アンテナ１６を携帯電話１４、ＭＤ１１に接続させたものである。さらに、同携帯モバイル機器システムは、ベルトカラー付のジャケットに太陽電池１８を一体に仕込み、太陽電池１８を携帯電話１４、ＭＤ１１に接続させたものである。【選択図】図１
2004264900.tif 000002
【特許請求の範囲】
【請求項１】
マイクロホン、イヤホンを衣服に一体に仕込み、このマイクロホンおよびイヤホンを、携帯電話、携帯情報機器、携帯音楽機器、携帯コンピュータなどの携帯モバイル機器で兼用使用できるように配設したことを特徴とする衣服をベースとする携帯モバイル機器システム。
【請求項２】
前記衣服にアンテナを一体に仕込み、このアンテナを前記携帯モバイル機器に接続させたことを特徴とする請求項１記載の衣服をベースとする携帯モバイル機器システム。
【請求項３】
前記衣服に太陽電池を一体に仕込み、この太陽電池を前記携帯モバイル機器に接続させたことを特徴とする請求項１又は請求項２記載の衣服をベースとする携帯モバイル機器システム。
【発明の詳細な説明】
【０００１】
【発明の属する技術分野】
本発明は衣服をベースとする携帯モバイル機器システムに係り、特に衣服に一体に仕込んだマイクロホンおよびイヤホンを、携帯電話、携帯情報機器、携帯音楽機器、携帯コンピュータなどの携帯モバイル機器で兼用使用できるようにした衣服をベースとする携帯モバイル機器システムに関する。
【０００２】
【従来の技術】
近年、携帯電話、携帯ラジオなどの携帯情報機器、ＭＤ（ミニ・ディスク）などの携帯音楽機器および携帯コンピュータ関連のモバイル機器を利用する人口が急増している。
【０００３】
これらのモバイル機器のうち、例えば、携帯電話とＭＤとの両方を携帯する場合、使用者は携帯電話やＭＤをポケットに収納することが多い。
携帯電話を使用する場合には、ポケットから取り出して使用し、使用後には再度ポケットに戻す。
一方、ＭＤにはイヤホンやコントローラが接続されていて、ＭＤをポケットに収納したまま、コントローラでＭＤを操作し、イヤホンで音楽を聞くことになる。
【０００４】
【発明が解決しようとする課題】
しかし、携帯電話を使用する度に、ポケットから出し入れする煩わしさがあり、その点で改良の余地が残されていた。
その対策として、例えば携帯電話にイヤホン、マイクロホンやコントローラを接続する方法が考えられる。
【０００５】
携帯電話にイヤホン、マイクロホンやコントローラを接続すれば、ＭＤと同様に、携帯電話をポケットから取り出さなくても、コントローラで携帯電話を操作し、イヤホンで相手の話しを聞き取り、マイクロホンから相手に話しかけることが可能である。
【０００６】
しかしながら、携帯電話にイヤホンを接続すると、ＭＤのイヤホンと、携帯電話のイヤホンとの２個のイヤホンを携帯する必要がある。
さらに、携帯電話にコントローラを接続すると、ＭＤのコントローラと、携帯電話のコントローラとの２個のコントローラを携帯する必要がある。
【０００７】
このように、２個のイヤホンやコントローラを携帯した場合には、携帯電話用のイヤホンやコントローラと、ＭＤ用のイヤホンやコントローラとを瞬時に判別することが難しく、使い勝手の点で問題がある。
【０００８】
本発明は、利便性に優れた衣服をベースとする携帯モバイル機器システムを提供して、上述の全ての問題点を解消しようとするものである。
【０００９】
【課題を解決するための手段】
上記目的を達成するために請求項１は、マイクロホン、イヤホンを衣服に一体に仕込み、このマイクロホンおよびイヤホンを、携帯電話、携帯情報機器、携帯音楽機器、携帯コンピュータなどの携帯モバイル機器で兼用使用できるように配設したことを特徴とする。
【００１０】
上記した本発明に係る衣服をベースとする携帯モバイル機器システムは、マイクロホンおよびイヤホンを衣服と一体化させることで、携帯モバイル機器をポケットから取り出さなくても、携帯モバイル機器を操作できるようになる。
よって、手を自由な状態、すなわちハンドフリーの状態に保つことが可能となる。
【００１１】
また、衣服に一体化させたマイクロホンおよびイヤホンを、携帯電話、携帯情報機器、携帯音楽機器、携帯コンピュータなどの携帯モバイル機器に兼用使用させることで、マイクロホンおよびイヤホンと複数の携帯モバイル機器とのシステム化を図った。
よって、マイクロホンおよびイヤホンの個数を、モバイル機器の個数に対応して備える必要がなくなる。
【００１２】
請求項２は、前記衣服にアンテナを一体に仕込み、このアンテナを前記携帯モバイル機器に接続させたことを特徴とする。
【００１３】
衣服にアンテナを一体化させて、モバイル機器のうちの携帯電話や携帯ラジオに接続させたので、各モバイル機器単独でアンテナを用意しなくても済む状態、いわゆるアンテナ・フリーの状態を実現できる。
【００１４】
請求項３は、前記衣服に太陽電池を一体に仕込み、この太陽電池を前記携帯モバイル機器に接続させたことを特徴とする。
【００１５】
太陽電池を衣服に一体化させて、携帯モバイル機器に接続させることで、各携帯モバイル機器単独で電池などのバッテリを個別に用意しなくても済む状態、いわゆるバッテリ・フリーの状態を実現できる。
【００１６】
【発明の実施の形態】
以下添付図面に基づいて、本発明に係る衣服をベースとする携帯モバイル機器システムの一実施の形態を詳説する。
図１は本発明に係る衣服をベースとする携帯モバイル機器システムの構成を示す概略図、図２は同要部を説明する図、図３は同第１実施の形態を示す正面図、図４は同第１実施の形態を示す背面図、図５は同システムで採用するケーブル取出し用の開口を説明する図である。
【００１７】
図１に示す第１実施の形態の衣服をベースとする携帯モバイル機器システムユニット１０は、ＭＤ（携帯モバイル機器；携帯音楽機器）１１をＭＤケーブル１２でケーブルハンガー１３に接続し、携帯電話（携帯モバイル機器）１４を携帯電話ケーブル１５でケーブルハンガー１３に接続し、アンテナ１６をアンテナケーブル１７でケーブルハンガー１３に接続し、太陽電池１８を太陽電池ケーブル１９でケーブルハンガー１３に接続し、ＭＤコントローラ２０をＭＤコントローラケーブル２１でケーブルハンガー１３に接続し、携帯電話コントローラ２２を携帯電話コントローラケーブル２３でケーブルハンガー１３に接続し、一対のイヤホン２４をイヤホンケーブル２５でケーブルハンガー１３に接続し、マイクロホン２６をマイクロホンケーブル２７でケーブルハンガー１３に接続したものである。上記した各ケーブルは、必ずしもすべて固有の専用線を用意する必要はなく、必要に応じて兼用使用可能な状態に組み立てることもできる。
【００１８】
図２に示すように、ケーブルハンガー１３のＭＤ差込口３０にＭＤケーブル１２のプラグ３１を差し込むことで、ＭＤ１１をケーブルハンガー１３に着脱自在に接続することが可能である。
また、ケーブルハンガー１３の携帯電話差込口３２に携帯電話ケーブル１５のプラグ３３を差し込むことで、携帯電話１４をケーブルハンガー１３に着脱自在に接続することが可能である。
【００１９】
このように、ＭＤ１１や携帯電話１４をケーブルハンガー１３から切り離し可能に構成することで、本発明の衣服をベースとする携帯モバイル機器システムユニット１０を利用する際に、用途に応じてアンテナ１６や太陽電池１８を任意に選択して使用することができ、不必要時には取り外せるようになっている。
【００２０】
ケーブルハンガー１３の上部には、イヤホンケーブル巻取部３５が設けられている。このイヤホンケーブル巻取部３５を備えることで、イヤホン２４を使用しない場合には、イヤホンケーブル２５をイヤホンケーブル巻取部３５に巻き取っておき、イヤホン２４の使用時のみにイヤホンケーブル２５をイヤホンケーブル巻取部３５から引き出すようにする。
【００２１】
図３および図４に示すように、第１実施の形態の衣服をベースとする携帯モバイル機器システム４０は、衣服をベースとする携帯モバイル機器システムユニット１０を、衣服としてのクルーネック付のジャケット４１に一体に仕込んだものである。
すなわち、衣服をベースとする携帯モバイル機器システム４０は、クルーネック４１ａの左右側部に形成する図５（ａ）〜（ｄ）に示した開口４２〜４５のうち、いずれか一つの開口、一例として開口４２にイヤホンケーブル２５を通すことで、一対のイヤホン２４をクルーネック４１ａの左右側部から取り出せるようにしている。
【００２２】
なお、図５（ａ）の開口４２は、開口４２の周縁にリング４２ａを備えたものであり、同（ｂ）の開口４３は、開口４３の周縁に縫い代４３ａを備えたものである。
また図５（ｃ）の開口４４は、開口４４にファスナ４４ａを備えたものであり、
同（ｄ）の開口４５は、開口４５を上側のカバー４５ａで覆うようにしたものである。
【００２３】
ついで、衣服をベースとする携帯モバイル機器システム４０は、クルーネック４１ａの前部に形成する図５（ａ）〜（ｄ）に示した開口４２〜４５のうち、いずれか一つの開口、一例として開口４２にマイクロホンケーブル２７を通すことで、マイクロホン２６をクルーネック４１ａの前部から取り出せるようにしている。
【００２４】
さらに、この携帯モバイル機器システム４０は、左胸ポケット４６の裏側に形成する図５（ａ）〜（ｄ）に示した開口４２〜４５のうち、いずれか一つの開口、一例として開口４２（図示せず）にＭＤコントロールケーブル２１や携帯電話コントロールケーブル２３を通すことで、ＭＤコントローラ２０や携帯電話コントローラ２２を左胸ポケット４６に固定している。
【００２５】
図１〜図２に示すケーブルハンガー１３は、クルーネック付のジャケット４１内に一体に取り付けられており、このケーブルハンガー１３には、図２に示すようにケーブルハンガー１３のＭＤ差込口３０にＭＤケーブル１２のプラグ３１を差し込むことで、ＭＤ１１をケーブルハンガー１３に着脱自在に接続している。
【００２６】
また、ケーブルハンガー１３の携帯電話差込口３２に携帯電話ケーブル１５のプラグ３３を差し込むことで、携帯電話１４をケーブルハンガー１３に接続している。
ＭＤ１１や携帯電話１４は、一例としてクルーネック付のジャケット４１の左右のサイドポケット４７内に収容している。
【００２７】
図４に示すようにクルーネック付のジャケット４１の背中４８にはアンテナ１６が一体に仕込まれていて、このアンテナ１６は、図１に示すようにアンテナケーブル１７でケーブルハンガー１３に接続されている。
【００２８】
このように、マイクロホン２６、イヤホン２４、ＭＤコントローラ２０や携帯電話コントローラ２２をクルーネック付のジャケット４１と一体化させ、それらを利用することで、ＭＤ１１や携帯電話１４を左右のサイドポケット４７から取り出さなくても操作できるようになる。
よって、手を自由な状態、いわゆるハンドフリーの状態に保つことができ、使用の利便性を図ることができる。
【００２９】
また、クルーネック付のジャケット４１に一体化させたマイクロホン２６およびイヤホン２４を、ＭＤ１１や携帯電話１４に兼用使用させることで、マイクロホン２６およびイヤホン２４と、ＭＤ１１および携帯電話１４とのシステム化を図った。
これにより、マイクロホン２６およびイヤホン２４の個数を、ＭＤ１１および携帯電話１４の個数に対応して備える必要がなくなり、使用時の利便性を図ることができる。もちろんコントローラ２０、２４の兼用使用も可能とさせることもできる。
【００３０】
さらに、クルーネック付のジャケット４１にアンテナ１６を一体化させ、携帯電話１４にケーブルハンガー１３を介して接続させることで、携帯電話１４に備えたアンテナ１６を引き出す必要がなく、アンテナ・フリーの状態が実現でき、携帯電話１４の利便性を図ることができる。
【００３１】
つぎに、第２〜第５実施の形態について説明する。第２〜第５実施の形態において、第１実施の形態と同一部材については同一符号を付して説明を省略する。
第２実施の形態
図６および図７に示すように、第２実施の形態の衣服をベースとする携帯モバイル機器システム５０は、衣服としてのベルトカラー付のジャケット５１に一体に仕込まれている。
すなわち、この携帯モバイル機器システム５０は、ベルトカラー５２の左右側部に形成する図５（ａ）〜（ｄ）に示した開口４２〜４５のうち、いずれか一つの開口（図示せず）にイヤホンケーブル２５を通すことで、一対のイヤホン２４をベルトカラー５２の左右側部から取り出せるようにしている。
【００３２】
また、この携帯モバイル機器システム５０は、ベルトカラー５２の前部に形成する図５（ａ）〜（ｄ）に示した開口４２〜４５のうち、いずれか一つの開口（図示せず）にマイクロホンケーブル２７（図１参照）を通すことで、マイクロホン２６をベルトカラー５２の前部から取り出せるようになる。取り出したマイクロホン２６は、ベルトカラー５２の前部に一体に取り付けられるようになっている。
【００３３】
さらに、この携帯モバイル機器システム５０は、左胸ポケット５３の裏側に形成する図５（ａ）〜（ｄ）に示した開口４２〜４５のうち、いずれか一つの開口（図示せず）にＭＤコントロールケーブル２１や携帯電話コントロールケーブル２３（図１も参照）を通すことで、ＭＤコントローラ２０や携帯電話コントローラ２２を左胸ポケット５３に取り付けられるようになっている。
【００３４】
図１〜図２に示すケーブルハンガー１３は、ベルトカラー付のジャケット５１内に一体に取り付けられ、このケーブルハンガー１３には、図２に示すようにＭＤ１１や携帯電話１４が着脱自在に接続されている。
ＭＤ１１や携帯電話１４は、一例としてベルトカラー付のジャケット５１の左右のサイドポケット５４内に収容される。
【００３５】
図７に示すように、ベルトカラー付のジャケット５１の背中５５には太陽電池１８が一体に仕込まれていて、この太陽電池１８は、図１に示すように太陽電池ケーブル１９でケーブルハンガー１３に接続されている。
【００３６】
このように、マイクロホン２６、イヤホン２４、ＭＤコントローラ２０や携帯電話コントローラ２２をベルトカラー付のジャケット５１に一体化させ、それらを利用することで、ＭＤ１１や携帯電話１４を左右のサイドポケット５４から取り出さなくても操作できるようになる。
よって、手を自由な状態、すなわちハンドフリーの状態に保つことができ、使用の利便性を図ることができる。
【００３７】
また、ベルトカラー付のジャケット５１に一体化させたマイクロホン２６やイヤホン２４を、ＭＤ１１や携帯電話１４に兼用使用させることで、マイクロホン２６やイヤホン２４と、ＭＤ１１および携帯電話１４とのシステム化を図った。これにより、マイクロホン２６やイヤホン２４の個数を、ＭＤ１１および携帯電話１４の個数に対応して備える必要がなくなり、使用の利便性を図ることができる。
【００３８】
さらに、ベルトカラー付のジャケット５１に太陽電池１８を一体化させ、ＭＤ１１や携帯電話１４にケーブルハンガー１３を介して接続させたので、電池などのバッテリを使用しない状態、いわゆるバッテリ・フリーの状態を実現できるので、ＭＤ１１や携帯電話１４の利便性を図ることができる。
【００３９】
第３実施の形態
図８および図９に示すように、第３実施の形態の衣服をベースとする携帯モバイル機器システム６０は、衣服としてのビジネスジャケット６１（ゴアテックス（登録商標）製）に一体に仕込まれている。
すなわち、衣服をベースとする携帯モバイル機器システム６０は、襟部６２の左右側部に形成する図５（ａ）〜（ｄ）に示した開口４２〜４５のうち、いずれか一つの開口（図示せず）にイヤホンケーブル２５を通すことで、一対のイヤホン２４を襟部６２の左右側部から取り出せるようにしている。
【００４０】
また、この携帯モバイル機器システム６０は、襟部６２の左側（ジャケットを着用した人から見て左側）にフラップ６２ａを設け、フラップ６２ａに形成する図５（ａ）〜（ｄ）に示した開口４２〜４５のうち、いずれか一つの開口（図示せず）にマイクロホンケーブル２７（図１参照）を通してマイクロホン２６をフラップ６２ａから取り出せるようにしている。取り出されたマイクロホン２６はフラップ６２ａに一体に取り付けられる。
【００４１】
さらに、衣服をベースとする携帯モバイル機器システム６０は、左胸ポケット６３の裏側に形成される図５（ａ）〜（ｄ）に示した開口４２〜４５のうち、いずれか一つの開口（図示せず）にＭＤコントロールケーブル２１や携帯電話コントロールケーブル２３（図１も参照）を通すことで、ＭＤコントローラ２０や携帯電話コントローラ２２を左胸ポケット５３に取り付けられるようにしている。
【００４２】
図１〜図２に示すケーブルハンガー１３は、ビジネスジャケット６１内に一体に取り付けられており、このケーブルハンガー１３には、図２に示すようにＭＤ１１や携帯電話１４が着脱自在に接続されている。
ＭＤ１１や携帯電話１４は、一例としてビジネスジャケット６１の左右のサイドポケット６４内に収容される。
【００４３】
図９に示すように、ビジネスジャケット６１の背中６５にはアンテナ１６が一体に仕込まれていて、このアンテナ１６は、図１に示すようにアンテナケーブル１７でケーブルハンガー１３に接続されている。
【００４４】
このように、マイクロホン２６、イヤホン２４、ＭＤコントローラ２０や携帯電話コントローラ２２をビジネスジャケット６１と一体化させ、それらを利用することでＭＤ１１や携帯電話１４を左右のサイドポケット６４から取り出さなくても操作できるようになる。
よって、手を自由な状態、いわゆるハンドフリーの状態に保つことができ、使用の利便性を図ることができる。
【００４５】
また、ビジネスジャケット６１に一体化させたマイクロホン２６およびイヤホン２４を、ＭＤ１１や携帯電話１４に兼用使用させることで、マイクロホン２６およびイヤホン２４と、ＭＤ１１および携帯電話１４とのシステム化が図られ、マイクロホン２６およびイヤホン２４の数を、ＭＤ１１および携帯電話１４の対応個数分用意する必要がなくなり、使用の利便性を図ることができる。
【００４６】
さらに、ビジネスジャケット６１にアンテナ１６を一体化させ、携帯電話１４にケーブルハンガー１３を介して接続させることにより、携帯電話１４に備えたアンテナ１６を引き出す必要がなく、アンテナ・フリーの状態を実現でき、携帯電話１４の利便性を図ることができる。
【００４７】
第４実施の形態
図１０に示すように、第４実施の形態の衣服をベースとする携帯モバイル機器システム７０は、衣服としてのＴ−シャツ７１に一体に仕込んだものである。
すなわち、衣服をベースとする携帯モバイル機器システム７０は、襟部７２の左右側部に形成される図５（ａ）〜（ｄ）に示した開口４２〜４５のうち、いずれか一つの開口、一例として開口４５にイヤホンケーブル２５（図１参照）を通すことで、一対のイヤホン２４を襟部７２の左右側部から取り出せるようにしている。
【００４８】
また、この携帯モバイル機器システム７０は、襟部７２の前部７３に形成される図５（ａ）〜（ｄ）に示した開口４２〜４５のうち、いずれか一つの開口（図示せず）にマイクロホンケーブル２７（図１参照）を通すことで、マイクロホン２６を前部７３から取り出せるようにしたもので、取り出されたマイクロホン２６は、前部７３に一体に取り付けられる。
【００４９】
さらに、この携帯モバイル機器システム７０は、左胸部に相当する部位７４に形成される図５（ａ）〜（ｄ）に示した開口４２〜４５のうち、いずれか一つの開口（図示せず）に携帯電話コントロールケーブル２３（図１も参照）を通すことで、携帯電話コントローラ２２を、左胸部に相当する部位７４に取り付けられるようにしている。
【００５０】
図１〜図２に示すケーブルハンガー１３は、Ｔ−シャツ７１内に一体に取り付けられている。ケーブルハンガー１３には、図２に示すように携帯電話１４が着脱自在に接続されている。
携帯電話１４は、一例としてスラックスのサイドポケット（図示せず）内に収容される。
【００５１】
このように、マイクロホン２６、イヤホン２４や携帯電話コントローラ２２をＴ−シャツ７１と一体化させ、それらを利用することで、携帯電話１４をスラックスのサイド
ポケットから取り出さなくても操作できるようになる。
よって、手を自由な状態、いわゆるハンドフリーの状態に保つことができ、使用の利便性を図ることができる。
【００５２】
第５実施の形態
図１１に示すように、第５実施の形態の衣服をベースとする携帯モバイル機器システム８０は、衣服としてのＴ−シャツ８１に一体に仕込んだものである。
すなわち、衣服をベースとする携帯モバイル機器システム８０は、襟部８２の左右側部に形成する図５（ａ）〜（ｄ）に示した開口４２〜４５のうち、いずれか一つの開口、一例として開口４５にイヤホンケーブル２５（図１参照）を通すことで、一対のイヤホン２４を襟部８２の左右側部から取り出せるようにしている。
【００５３】
また、この携帯モバイル機器システム８０は、襟部８２の前部８３に形成する図５（ａ）〜（ｄ）に示した開口４２〜４５のうち、いずれか一つの開口、一例として開口４４にマイクロホンケーブル２７（図１参照）を通すことで、マイクロホン２６を前部８３から取り出せるようにしたもので、取り出したマイクロホン２６は、前部８３に一体に取り付けられる。
【００５４】
さらに、この携帯モバイル機器システム８０は、左胸部に相当する部位８４に形成する図５（ａ）〜（ｄ）に示した開口４２〜４５のうち、一例として開口４５（図１０には図示せず）に携帯電話コントロールケーブル２３（図１も参照）を通すことで、携帯電話コントローラ２２を、左胸部に相当する部位８４に取り付けられるようになっている。
【００５５】
図１〜図２に示すケーブルハンガー１３はＴ−シャツ８１内に一体に取り付けられている。ケーブルハンガー１３には、図２に示すように携帯電話１４が着脱自在に接続されている。
携帯電話１４は、一例としてスラックスのサイドポケット（図示せず）内に収容される。
【００５６】
このように、マイクロホン２６、イヤホン２４、ＭＤコントローラ２０や携帯電話コントローラ２２をＴ−シャツ８１と一体化させ、それらを利用することで、携帯電話１４をスラックスのサイドポケットから取り出さなくても操作できるようになる。
よって、手を自由な状態、いわゆるハンドフリーの状態に保つことができ、使用の利便性を図ることができる。
【００５７】
なお、前記実施の形態では、衣服をベースとする携帯モバイル機器システムユニット１０に携帯モバイル機器として携帯電話や、ＭＤを組み込んだ例について説明したが、これに限られることなく、その他ＭＤなどの携帯音楽機器の代わりにＣＤを組み込むことも可能である。
【００５８】
また、携帯電話や携帯音楽機器の他に、携帯ラジオ、携帯テープレコダー、携帯無線機などの携帯情報機器を組み込むことも可能であり、さらには携帯コンピュータＰＣなどを組み込むことも可能である。
【００５９】
さらに、本発明に係る衣服をベースとする携帯モバイル機器システムユニット１０を一体化する衣服として、クルーネック付のジャケット４１、ベルトカラー付のジャケット５１、ビジネスジャケット６１やＴ−シャツ７１，８１を例示したが、衣服はこれらに限定されるものではない。
【００６０】
【発明の効果】
以上述べたように、請求項１による衣服をベースとする携帯モバイル機器システムによれば、マイクロホン、イヤホン、コントローラを衣服と一体化させ、それらを利用することで、携帯モバイル機器をポケットから取り出さなくても、携帯モバイル機器を操作することができるという効果がある。
これにより、手を自由な状態、いわゆるハンドフリーの状態に保つことができ、使用の利便性を図ることができる。
【００６１】
また、衣服と一体化させたマイクロホンおよびイヤホンを、携帯電話、携帯情報機器、携帯音楽機器、携帯コンピュータなどの携帯モバイル機器に兼用使用させることで、マイクロホンおよびイヤホンと携帯モバイル機器とのシステム化を図った。
これにより、マイクロホンおよびイヤホンの個数を、モバイル機器の対応個数分備える必要がなくなり、使用の利便性を図ることができるという効果がある。
【００６２】
請求項２は、衣服にアンテナを一体化させて、モバイル機器のうちの携帯電話や携帯ラジオに接続させたので、モバイル機器毎のアンテナを個別に使用しない状態、いわゆるアンテナ・フリーの状態を実現できるので、モバイル機器の利便性を図ることができる。
【００６３】
請求項３は、太陽電池を衣服と一体化させて、携帯モバイル機器に接続させたので、電池などのバッテリを使用しない状態、いわゆるバッテリ・フリーの状態を実現できるので、モバイル機器の利便性を図ることができるという効果がある。
【図面の簡単な説明】
【図１】本発明に係る衣服をベースとする携帯モバイル機器システムの構成を示す概略図である。
【図２】同システムの要部を説明する図である。
【図３】同システムの第１実施の形態を示す正面図である。
【図４】同システムの第１実施の形態を示す背面図である。
【図５】同システムに採用するケーブル取出し用の開口を説明する図である。
【図６】同システムの第２実施の形態を示す正面図である。
【図７】同システムの第２実施の形態を示す背面図である。
【図８】同システムの第３実施の形態を示す正面図である。
【図９】同システムの第３実施の形態を示す背面図である。
【図１０】同システムの第４実施の形態を示す正面図である。
【図１１】同システムの第５実施の形態を示す正面図である。
【符号の説明】
１０…衣服をベースとする携帯モバイル機器システムニット
１１…ＭＤ（携帯音楽機器；携帯モバイル機器）
１４…携帯電話（携帯モバイル機器）
１６…アンテナ
１８…太陽電池
２４…イヤホン
２６…マイクロホン
４０，５０，６０，７０、８０…衣服をベースとする携帯モバイル機器システム
４１…クルーネック付のジャケット（衣服）
５１…ベルトカラー付のジャケット（衣服）
６１…ビジネスジャケット（衣服）
７１，８１…Ｔ−シャツ（衣服）
ＰＣ…携帯コンピュータ
【図１】
2004264900.tif 000003
【図２】
2004264900.tif 000004
【図３】
2004264900.tif 000005
【図４】
2004264900.tif 000006
【図５】
2004264900.tif 000007
【図６】
2004264900.tif 000008
【図７】
2004264900.tif 000009
【図８】
2004264900.tif 000010
【図９】
2004264900.tif 000011
【図１０】
2004264900.tif 000012
【図１１】
2004264900.tif 000013